(57)【要約】      （修正有）【課題】ワイヤレスアクセス技術の低電力検知のための装置及び方法を提供する。【解決手段】アクセス端末装置などのモバイルワイヤレスデバイスが、一次トランシーバなどの能動回路と比べて、より低い電力で動作する、より低電力の回路部分を利用する。より低電力の回路部分は、１つ又は複数の様々なワイヤレスアクセス技術の信号が存在するかどうかを検知するサーチャを含む。ワイヤレスデバイスが、電力節約のために休止モード又はアイドルモードを利用する場合、ワイヤレスアクセス技術の存在を検知するのに、起動された高電力の一次トランシーバを使用するのではなく、より低電力の検知回路を使用することで、より大きい電力節約を可能にする。より低電力の回路が休止モード又はアイドルモードに入れられることで、より大きい電力節約を実現する。【選択図】図２
2015122761.tif 000002
【特許請求の範囲】
【請求項１】
モバイルデバイスにおいて使用するための装置であって、
１つまたは複数のワイヤレスアクセス技術の信号を検知するように動作可能な少なくとも１つの構成可能なサーチャを含む、第１の電力レベルで動作可能な第１の回路部分と、
前記モバイルデバイス内の前記第１の回路部分の前記第１の電力レベルより高い電力レベルで動作するように構成された第２の回路部分とを備える装置。
【請求項２】
前記第１の回路部分は、
前記１つまたは複数のワイヤレスアクセス技術の受信された信号を格納するように構成されたバッファと、
前記第１の回路部分、および前記第２の回路部分におけるその他の回路の少なくとも１つの回路の時間領域とは独立した時間領域内で、前記バッファの中に格納された前記受信された信号を処理するように構成された非リアルタイムプロセッサとをさらに備える請求項１に記載の装置。
【請求項３】
前記第１の回路は、先行する検知された情報に基づいて、前記１つまたは複数のワイヤレスアクセス技術の探索リストを並べ替えることおよび優先順位を付けることの少なくともいずれかを行うように、前記１つまたは複数のワイヤレスアクセス技術の前記信号を適応的に処理するように構成された適応エンジンをさらに備える請求項１に記載の装置。
【請求項４】
前記先行する検知された情報は、信号強度と信号相関の少なくともいずれかを含む請求項３に記載の装置。
【請求項５】
前記第１の回路部分は、所定の周期性でアイドル状態または休止状態のいずれかから起動して、前記１つまたは複数のワイヤレスアクセス技術を周期的に検知するようにさらに構成され、前記周期性は、固定または可変である請求項１に記載の装置。
【請求項６】
前記第２の回路部分は、前記第１の回路部分が前記１つまたは複数のワイヤレスアクセス技術の信号を検知する間、休止するように構成された一次トランシーバを備える請求項１に記載の装置。
【請求項７】
前記少なくとも１つの構成可能なサーチャは、単一のワイヤレス技術における搬送波、または２つ以上のワイヤレス技術における搬送波の少なくともいずれかに関して、異なるワイヤレスキャリア周波数でエネルギーを測定することを含むことによって、前記１つまたは複数のワイヤレスアクセス技術の信号を検知するように構成される請求項１に記載の装置。
【請求項８】
前記１つまたは複数のワイヤレスアクセス技術の信号を検知することは、受信された信号を少なくとも１つの参照データと互いに関係付けることを含む請求項１に記載の装置。
【請求項９】
前記参照データは、少なくとも１つのスクランブル符号を備える請求項８に記載の装置。
【請求項１０】
前記第１の回路部分は、
受信された信号を復調するように構成された復調器と、
前記１つまたは複数のワイヤレスアクセス技術に関するさらなる情報を復号するように構成された復号器とを含む請求項１に記載の装置。
【請求項１１】
前記第１の回路部分と前記第２の回路部分の少なくともいずれかは、より低エネルギーのページングサポートを提供するように構成される請求項１に記載の装置。
【請求項１２】
前記第１の回路部分は、前記１つまたは複数のワイヤレスアクセス技術を検知するために使用されるベースバンドプロセッサをさらに備える請求項１に記載の装置。
【請求項１３】
前記ベースバンドプロセッサは、プロセッサ、メモリ、および論理ハードウェアの１つまたは複数を含む請求項１２に記載の装置。
【請求項１４】
前記論理ハードウェアは、ワイヤレスアクセス技術のサブセットを検知することを含むタスクのサブセットを処理するように構成される請求項１３に記載の装置。
【請求項１５】
前記第１の回路部分は、前記ワイヤレスアクセス技術の少なくとも１つからの信号が前記第１の部分によって検知されると、前記第２の回路部分を起動するトリガを発行するようにさらに構成される請求項１に記載の装置。
【請求項１６】
前記第１の部分は、前記第１の部分に検知タスクを周期的に実行させる際に使用するための少なくとも１つのリアルタイムクロック領域タイマを含む請求項１に記載の装置。
【請求項１７】
前記第１の回路部分と前記第２の回路部分は、前記より低い電力で少なくとも動作可能であるように構成された１つまたは複数の構成要素を共有する請求項１に記載の装置。
【請求項１８】
前記第１の回路部分の少なくとも一部分は、前記第２の回路部分内の構成要素と比べて、漏れのより少ない設計ライブラリの構成要素を備えて構成される請求項１に記載の装置。
【請求項１９】
前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する請求項１に記載の装置。
【請求項２０】
前記１つまたは複数の第１の構成要素は、前記１つまたは複数の第２の構成要素と比べて、同等の機能を実行する際に、より少ないエネルギーを消費するように構成される請求項１９に記載の装置。
【請求項２１】
前記モバイルデバイスは、アクセス端末装置を備える請求項１に記載の装置。
【請求項２２】
モバイルデバイスにおいて使用するための方法であって、
前記モバイルデバイス内の第２の回路部分の電力レベルと比べて、より低い電力レベルで動作するように構成された第１の回路部分を使用して、１つまたは複数のワイヤレスアクセス技術を探索すること、および
前記１つまたは複数のワイヤレスアクセス技術の少なくとも１つの所定のワイヤレスアクセス技術が検知されると、前記第２の回路部分を起動するように構成された起動トリガを発行することを備える方法。
【請求項２３】
前記１つまたは複数のワイヤレスアクセス技術の受信された信号をバッファリングすること、および
前記第１の回路部分、および前記第２の回路部分におけるその他の回路の少なくとも１つの回路の時間領域とは独立した時間領域内で、前記バッファリングされた、受信された信号を非リアルタイム処理することをさらに備える請求項２２に記載の方法。
【請求項２４】
先行する検知された情報に基づいて、前記１つまたは複数のワイヤレスアクセス技術の探索リストを並べ替えることおよび優先順位を付けることの少なくともいずれかを行うように、前記１つまたは複数のワイヤレスアクセス技術の前記信号を適応的に処理することをさらに備える請求項２２に記載の方法。
【請求項２５】
前記先行する検知された情報は、信号強度と信号相関の少なくともいずれかを含む請求項２４に記載の方法。
【請求項２６】
所定の周期性で前記第１の回路部分を休止状態またはアイドル状態のいずれかから周期的に起動して、前記１つまたは複数のワイヤレスアクセス技術を検索することをさらに備え、前記周期性は、固定または可変である請求項２２に記載の方法。
【請求項２７】
前記第２の回路部分は、前記第１の回路部分が前記１つまたは複数のワイヤレスアクセス技術の信号を検知する間、休止するように構成された一次トランシーバを備える請求項２２に記載の方法。
【請求項２８】
前記１つまたは複数のワイヤレスアクセス技術を探索することは、単一のワイヤレス技術における搬送波、または２つ以上のワイヤレス技術における搬送波の少なくともいずれかに関して、異なるワイヤレスキャリア周波数でエネルギーを測定することを含む請求項２２に記載の方法。
【請求項２９】
前記１つまたは複数のワイヤレスアクセス技術を探索することは、受信された信号を少なくとも１つの参照データと互いに関係付けることを含む請求項２２に記載の方法。
【請求項３０】
前記参照データは、少なくとも１つのスクランブル符号を備える請求項２９に記載の方法。
【請求項３１】
前記１つまたは複数のワイヤレスアクセス技術の受信された信号を復調すること、および
前記復調された信号を復号して、前記１つまたは複数のワイヤレスアクセス技術に関するさらなる情報を特定することをさらに備える請求項２２に記載の方法。
【請求項３２】
前記第１の回路部分と前記第２の回路部分の少なくともいずれかは、より低エネルギーのページングサポートを提供するように構成される請求項２２に記載の方法。
【請求項３３】
前記第１の回路部分は、前記１つまたは複数のワイヤレスアクセス技術を検知するために使用されるベースバンドプロセッサを備える請求項２２に記載の方法。
【請求項３４】
前記１つまたは複数のワイヤレスアクセス技術を探索することは、ワイヤレスアクセス技術のサブセットを検知することを含むタスクのサブセットを処理することを含む請求項２２に記載の方法。
【請求項３５】
所定の周期性で前記１つまたは複数のワイヤレスアクセス技術を探索することをさらに備え、前記周期性は、固定または可変である請求項２２に記載の方法。
【請求項３６】
前記第１の回路部分と前記第２の回路部分は、前記より低い電力で少なくとも動作可能であるように構成された１つまたは複数の構成要素を共有する請求項２２に記載の方法。
【請求項３７】
前記モバイルデバイスは、アクセス端末装置を備える請求項２２に記載の方法。
【請求項３８】
前記第１の回路部分の少なくとも一部分は、前記第２の回路部分内の構成要素と比べて、漏れのより少ない設計ライブラリ構成要素を備えて構成される請求項２２に記載の方法。
【請求項３９】
前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する請求項２２に記載の方法。
【請求項４０】
前記１つまたは複数の第１の構成要素は、前記１つまたは複数の第２の構成要素と比べて、同等の機能を実行する際に、より少ないエネルギーを消費するように構成される請求項３９に記載の方法。
【請求項４１】
モバイルデバイスにおいて使用するための装置であって、
前記モバイルデバイス内の第２の回路部分の電力レベルと比べて、より低い電力レベルで動作するように構成された第１の回路部分を使用して、１つまたは複数のワイヤレスアクセス技術を探索するための手段と、
前記１つまたは複数のワイヤレスアクセス技術の少なくとも１つの所定のワイヤレスアクセス技術が検知されると、前記第２の回路部分を起動するように構成された起動トリガを発行するための手段とを備える装置。
【請求項４２】
前記１つまたは複数のワイヤレスアクセス技術の受信された信号をバッファリングするための手段と、
前記第１の回路部分、および前記第２の回路部分におけるその他の回路の少なくとも１つの回路の時間領域とは独立した時間領域内で、前記バッファリングされた、受信された信号を非リアルタイム処理するための手段とをさらに備える請求項４１に記載の装置。
【請求項４３】
先行する検知された情報に基づいて、前記１つまたは複数のワイヤレスアクセス技術の探索リストを並べ替えることおよび優先順位を付けることの少なくともいずれかを行うように、前記１つまたは複数のワイヤレスアクセス技術の前記信号を適応的に処理するための手段をさらに備える請求項４１に記載の装置。
【請求項４４】
前記先行する検知された情報は、信号強度と信号相関の少なくともいずれかを含む請求項４３に記載の装置。
【請求項４５】
所定の周期性で前記第１の回路部分を休止状態またはアイドル状態のいずれかから周期的に起動して、前記１つまたは複数のワイヤレスアクセス技術を検索するための手段をさらに備え、前記周期性は、固定または可変である請求項４１に記載の装置。
【請求項４６】
前記第２の回路部分は、前記第１の回路部分が前記１つまたは複数のワイヤレスアクセス技術の信号を検知する間、休止するように構成された一次トランシーバを備える請求項４１に記載の装置。
【請求項４７】
前記１つまたは複数のワイヤレスアクセス技術を前記探索するための手段は、単一のワイヤレス技術における搬送波、または２つ以上のワイヤレス技術における搬送波の少なくともいずれかに関して、異なるワイヤレスキャリア周波数でエネルギーを測定するための手段を含む請求項４１に記載の装置。
【請求項４８】
前記１つまたは複数のワイヤレスアクセス技術を前記探索するための手段は、受信された信号を少なくとも１つの参照データと互いに関係付けるための手段を含む請求項４１に記載の装置。
【請求項４９】
前記参照データは、少なくとも１つのスクランブル符号を備える請求項４８に記載の装置。
【請求項５０】
前記１つまたは複数のワイヤレスアクセス技術の受信された信号を復調するための手段と、
前記復調された信号を復号して、前記１つまたは複数のワイヤレスアクセス技術に関するさらなる情報を解読するための手段とをさらに備える請求項４１に記載の装置。
【請求項５１】
前記第１の回路部分と前記第２の回路部分の少なくともいずれかは、より低エネルギーのページングサポートを提供するように構成される請求項４１に記載の装置。
【請求項５２】
前記第１の回路部分は、前記１つまたは複数のワイヤレスアクセス技術を検知するために使用されるベースバンドプロセッサを備える請求項４１に記載の装置。
【請求項５３】
前記１つまたは複数のワイヤレスアクセス技術を前記探索するための手段は、ワイヤレスアクセス技術のサブセットを検知することを含むタスクのサブセットを処理するための手段を含む請求項４１に記載の装置。
【請求項５４】
所定の周期性で前記１つまたは複数のワイヤレスアクセス技術を探索するための手段をさらに備え、前記周期性は、固定または可変である請求項４１に記載の装置。
【請求項５５】
前記第１の回路部分と前記第２の回路部分は、前記より低い電力で少なくとも動作可能であるように構成された１つまたは複数の構成要素を共有する請求項４１に記載の装置。
【請求項５６】
前記第１の回路部分の少なくとも一部分は、前記第２の回路部分内の構成要素と比べて、漏れのより少ない設計ライブラリの構成要素を備えて構成される請求項４１に記載の装置。
【請求項５７】
前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する請求項４１に記載の装置。
【請求項５８】
前記１つまたは複数の第１の構成要素は、前記１つまたは複数の第２の構成要素と比べて、同等の機能を実行する際に、より少ないエネルギーを消費するように構成される請求項５７に記載の装置。
【請求項５９】
前記モバイルデバイスは、アクセス端末装置を備える請求項４１に記載の装置。
【請求項６０】
コンピュータに、モバイルデバイス内の第２の回路部分の電力レベルと比べて、より低い電力レベルで動作するように構成された第１の回路部分を使用して、前記モバイルデバイス内の１つまたは複数のワイヤレスアクセス技術を探索させるためのコードと、
前記１つまたは複数のワイヤレスアクセス技術の少なくとも１つの所定のワイヤレスアクセス技術が検知されると、コンピュータに、前記第２の回路部分を起動するように構成された起動トリガを発行させるためのコードとを備えるコンピュータ可読媒体を備えるコンピュータプログラム製品。
【請求項６１】
前記コンピュータ可読媒体は、
コンピュータに、前記１つまたは複数のワイヤレスアクセス技術の受信された信号をバッファリングさせるためのコードと、
コンピュータに、前記第１の回路部分、および前記第２の回路部分におけるその他の回路の少なくとも１つの回路の時間領域とは独立した時間領域内で、前記バッファリングされた、受信された信号を非リアルタイム処理させるためのコードとをさらに備える請求項６０に記載のコンピュータプログラム製品。
【請求項６２】
前記コンピュータ可読媒体は、コンピュータに、先行する検知された情報に基づいて、前記１つまたは複数のワイヤレスアクセス技術の探索リストを並べ替えることおよび優先順位を付けることの少なくともいずれかを行うように、前記１つまたは複数のワイヤレスアクセス技術の前記信号を適応的に処理させるためのコードをさらに備える請求項６０に記載のコンピュータプログラム製品。
【請求項６３】
前記先行する検知された情報は、信号強度と信号相関の少なくともいずれかを含む請求項６２に記載のコンピュータプログラム製品。
【請求項６４】
前記コンピュータ可読媒体は、コンピュータに、所定の周期性で前記第１の回路部分をアイドル状態または休止状態のいずれかから周期的に起動して、前記１つまたは複数のワイヤレスアクセス技術を検索するようにさせるためのコードをさらに備え、前記周期性は、固定または可変である請求項６０に記載のコンピュータプログラム製品。
【請求項６５】
前記第２の回路部分は、前記第１の回路部分が前記１つまたは複数のワイヤレスアクセス技術の信号を検知する間、休止するように構成された一次トランシーバを備える請求項６０に記載のコンピュータプログラム製品。
【請求項６６】
前記１つまたは複数のワイヤレスアクセス技術を探索することは、単一のワイヤレス技術における搬送波、または２つ以上のワイヤレス技術における搬送波の少なくともいずれかに関して、異なるワイヤレスキャリア周波数でエネルギーを測定することを含む請求項６０に記載のコンピュータプログラム製品。
【請求項６７】
前記１つまたは複数のワイヤレスアクセス技術を探索することは、受信された信号を少なくとも１つの参照データと互いに関係付けることを含む請求項６０に記載のコンピュータプログラム製品。
【請求項６８】
前記参照データは、少なくとも１つのスクランブル符号を備える請求項６７に記載のコンピュータプログラム製品。
【請求項６９】
前記コンピュータ可読媒体は、
コンピュータに、前記１つまたは複数のワイヤレスアクセス技術の受信された信号を復調させるためのコードと、
コンピュータに、前記復調された信号を復号して、前記１つまたは複数のワイヤレスアクセス技術に関するさらなる情報を解読させるためのコードとをさらに備える請求項６０に記載のコンピュータプログラム製品。
【請求項７０】
前記第１の回路部分と前記第２の回路部分の少なくともいずれかは、より低エネルギーのページングサポートを提供するように構成される請求項６０に記載のコンピュータプログラム製品。
【請求項７１】
前記第１の回路部分は、前記１つまたは複数のワイヤレスアクセス技術を検知するために使用されるベースバンドプロセッサを備える請求項６０に記載のコンピュータプログラム製品。
【請求項７２】
前記１つまたは複数のワイヤレスアクセス技術を探索することは、ワイヤレスアクセス技術のサブセットを検知することを含むタスクのサブセットを処理することを含む請求項６０に記載のコンピュータプログラム製品。
【請求項７３】
コンピュータに、所定の周期性で前記１つまたは複数のワイヤレスアクセス技術を探索させるためのコードをさらに備えた前記コンピュータ可読媒体をさらに備え、前記周期性は、固定または可変である請求項６０に記載のコンピュータプログラム製品。
【請求項７４】
前記第１の回路部分と前記第２の回路部分は、前記より低い電力で少なくとも動作可能であるように構成された１つまたは複数の構成要素を共有する請求項６０に記載のコンピュータプログラム製品。
【請求項７５】
前記モバイルデバイスは、アクセス端末装置を備える請求項６０に記載のコンピュータプログラム製品。
【請求項７６】
前記第１の回路部分の少なくとも一部分は、前記第２の回路部分内の構成要素と比べて、漏れのより少ない設計ライブラリの構成要素を備えて構成される請求項６０に記載のコンピュータプログラム製品。
【請求項７７】
前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する請求項６０に記載のコンピュータプログラム製品。
【請求項７８】
前記１つまたは複数の第１の構成要素は、前記１つまたは複数の第２の構成要素と比べて、同等の機能を実行する際に、より少ないエネルギーを消費するように構成される請求項７７に記載のコンピュータプログラム製品。
【発明の詳細な説明】
【技術分野】
【０００１】
本開示は、一般に、ワイヤレスアクセス技術の低電力センシングのための装置および方法に関し、より具体的には、様々なＲＡＴの１つまたは複数からの信号を検出するため、および／または獲得するため、さらにモバイルデバイス内の他の、より高い電力の領域に検出を伝えるために動作可能なモバイルデバイスにおける低電力手段を使用して、様々なワイヤレスアクセス技術または無線アクセス技術（ＲＡＴ）を検知すること、または探索することに関する。
【背景技術】
【０００２】
（優先権の主張）
本特許出願は、２００９年６月１９日に出願され、本特許出願の譲受人に譲渡され、さらに参照により本明細書に明確に組み込まれている「Ａｐｐａｒａｔｕｓ  ａｎｄ  Ｍｅｔｈｏｄｓ  ｆｏｒ  Ｌｏｗ  Ｐｏｗｅｒ  Ｓｅｎｓｉｎｇ  ｏｆ  Ｃｏｍｍｕｎｉｃａｔｉｏｎ  Ｓｙｓｔｅｍｓ」という名称の米国特許仮出願第６１／２１８，５５２号の優先権を主張するものである。
【０００３】
モバイル通信デバイスなどの、いくつかのワイヤレスデバイスにおいて、充電から充電までの間に長いサービスを提供するために、バッテリエネルギーを効率的に利用することが望ましい。特定のワイヤレスデバイスにおいて、それらのデバイス内の回路の少なくとも一部分が、それらのデバイスが能動的に受信している、または送信している短い期間にわたってオンにされ、アイドル期間中、または休止サイクル中にエネルギーを消費する回路の少なくとも一部が、オフにされることが可能である。エネルギー節約を最大化するために、そのようなデバイスがオンにされる時間を最小化することが望ましい。
【０００４】
さらに、ワイヤレスワイドエリアネットワーク（ＷＷＡＮ）技術（例えば、ＷＣＤＭＡ（登録商標）、ＷｉＭＡＸ、ＵＭＢ、ＣＤＭＡ２００、ＩＳ−９５、ＬＴＥなど）などの様々な無線エリア技術（ＲＡＴ）を利用するユーザ機器（ＵＥ）、アクセス端末装置（ＡＴ）、または他のモバイルデバイスを提供することが知られている。特定のロケーションにおけるモバイルデバイスが利用できるネットワークサービスの現在の状態に依存して、利用できないＲＡＴに関して、これらのネットワークを使用して送受信する能動回路の電源を投入することは、不必要である。このため、そのような知られている技術は、存在しない特定のＲＡＴの検出のための能動回路または一次回路に電源を投入することによって、不必要な電力使用につながる。したがって、モバイル通信デバイスが、特定のＲＡＴに関してサービスエリアの外に存在する場合、エネルギーを節約するためにそのようなＲＡＴに要求されないデバイス内の回路の部分をシャットダウンすることが望ましい可能性がある。しかし、ネットワーク条件またはモバイルロケーションが変化するにつれ、特定のＲＡＴが現在、利用可能であるかどうかを定期的に確認する、または検知することも望ましく、このため、知られているシステム内の一次回路に電源を投入することが要求される。したがって、特に、いくつかのＲＡＴが利用可能でない事例において、検知のための能動回路または一次回路の使用に関してエネルギーを節約する、モバイルデバイスによる様々なＲＡＴの、より低電力の検知が望ましい。
【発明の概要】
【０００５】
或る態様において、モバイルデバイスにおいて使用するための装置が開示される。この装置は、第１の電力レベルで動作可能な第１の回路部分を含み、第１の回路部分は、１つまたは複数のワイヤレスアクセス技術の信号を検知するように動作可能である少なくとも１つの構成可能なサーチャを含む。また、この装置は、モバイルデバイス内の第１の回路部分の第１の電力レベルより高い電力レベルで動作するように構成された第２の回路部分も含む。
【０００６】
別の態様において、モバイルデバイスにおいて使用するための方法が開示される。この方法は、モバイルデバイス内の第２の回路部分の電力レベルより低い電力レベルで動作するように構成された第１の回路部分を使用して、１つまたは複数のワイヤレスアクセス技術を探索することを含む。さらに、この方法は、その１つまたは複数のワイヤレスアクセス技術のうち少なくとも１つの所定のワイヤレスアクセス技術が検知されると、第２の回路部分を起動するように構成された起動トリガを発行することを含む。
【０００７】
別の態様によれば、モバイルデバイスにおいて使用するための装置が開示される。この装置は、モバイルデバイス内の第２の回路部分の電力レベルより低い電力レベルで動作するように構成された第１の回路部分を使用して、１つまたは複数のワイヤレスアクセス技術を探索するための手段を含む。また、この装置は、その１つまたは複数のワイヤレスアクセス技術のうち少なくとも１つの所定のワイヤレスアクセス技術が検知されると、第２の回路部分を起動するように構成された起動トリガを発行するための手段も含む。
【０００８】
さらに別の一態様によれば、コンピュータ可読媒体を備えるコンピュータプログラム製品が開示される。コンピュータ可読媒体は、コンピュータに、モバイルデバイス内の第２の回路部分の電力レベルより低い電力レベルで動作するように構成された第１の回路部分を使用して、モバイルデバイスにおいて１つまたは複数のワイヤレスアクセス技術を探索させるためのコードを含む。さらに、コンピュータ可読媒体は、その１つまたは複数のワイヤレスアクセス技術のうち少なくとも１つの所定のワイヤレスアクセス技術が検知されると、コンピュータに、第２の回路部分を起動するように構成された起動トリガを発行させるためのコードも含む。
【図面の簡単な説明】
【０００９】
【図１】ワイヤレス通信システムの例を示す図。
【図２】モバイルデバイスにおいて使用するための本開示によるワイヤレスプラットフォームを示すブロック図。
【図３】図２のワイヤレスプラットフォームの低電力パーティションを示すブロック図。
【図４】図２のワイヤレスプラットフォームの低電力パーティションの別の例を示すブロック図。
【図５】図２のワイヤレスプラットフォームの低電力パーティションのさらに別の例を示すブロック図。
【図６】モバイルデバイスにおいてワイヤレス技術を低電力検知するためにモバイルデバイスにおいて使用するための方法を示す流れ図。
【図７】モバイルデバイスにおいてワイヤレス技術を低電力検知するためにモバイルデバイスにおいて使用するための装置を示すブロック図。
【図８】モバイルデバイスにおいてワイヤレス技術を低電力検知するためにモバイルデバイスにおいて使用するための方法を示す流れ図。
【図９】モバイルデバイスにおいてワイヤレス技術を低電力検知するためにモバイルデバイスにおいて使用するための方法を示す別の流れ図。
【図１０】モバイルデバイスにおいてワイヤレス技術を低電力検知するためにモバイルデバイスにおいて使用するための方法を示すさらに別の流れ図。
【発明を実施するための形態】
【００１０】
本明細書で開示される装置および方法は、モバイルデバイス内の一次トランシーバと比べて、より低い電力レベルで、またはより少ないエネルギーで動作するように構成された低電力検知回路を提供することによって、アクセス端末装置（ＡＴ）などのワイヤレスデバイスが、場合に、エネルギー使用の最小化をもたらす。低電力検知回路は、一次トランシーバを使用することなしに、１つまたは複数のワイヤレスアクセス技術の信号を検知することができる。したがって、ＲＦワイヤレス信号を検知することは、より低電力の回路だけが活性で、ワイヤレスデバイスの能動的部分、つまり、より高い電力の部分（例えば、一次トランシーバを実施する部分などの、ワイヤレス移動局モデム（ＭＳＭ）プラットフォームまたはＭＳＭチップの能動的部分）を使用することなしに、実行されることが可能であり、したがってエネルギーを節約する。
【００１１】
本明細書で説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどの様々なワイヤレス通信ネットワークのために使用されることが可能であることに留意されたい。「ネットワーク」という用語と「システム」という用語は、しばしば、互換的に使用される。ＣＤＭＡネットワークは、ユニバーサル地上無線アクセス（ＵＴＲＡ）、ｃｄｍａ２０００などの無線技術を実施することが可能である。ＵＴＲＡは、広帯域ＣＤＭＡ（Ｗ−ＣＤＭＡ）および低チップレート（ＬＣＲ）を含む。ｃｄｍａ２０００は、ＩＳ−２０００標準、ＩＳ−９５標準、およびＩＳ−８５６標準を範囲に含む。ＴＤＭＡネットワークは、グローバルシステムフォーモバイルコミュニケーションズ（ＧＳＭ（登録商標））などの無線技術を実施することが可能である。ＯＦＤＭＡネットワークは、ウルトラモバイル帯域幅（ＵＭＢ）、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭなどの無線技術を実施することが可能である。ＵＴＲＡ、Ｅ−ＵＴＲＡ、およびＧＳＭは、ユニバーサルモバイルテレコミュニケーションシステム（ＵＭＴＳ）の一部である。ロングタームイボリューション（ＬＴＥ）が、Ｅ−ＵＴＲＡを使用するＵＭＴＳの来たるべきリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）という名称の団体からの文書において説明される。ｃｄｍａ２０００は、「第３世代パートナーシッププロジェクト２」（３ＧＰＰ２）という名称の団体からの文書において説明される。これらの様々な無線技術および無線標準は、当技術分野で知られている。
【００１２】
図１を参照すると、これらの方法および装置が使用されることが可能な多元接続ワイヤレス通信システムの例が示されている。アクセスポイント１００（ＡＰ）が、１つのグループが１０４および１０６を含み、別のグループが１０８および１１０を含み、さらなるグループが１１２および１１４を含む複数のアンテナグループを含む。図１で、各アンテナグループにつき２つだけのアンテナが示されているが、各アンテナグループにつき、より多い、またはより少ないアンテナが利用されてもよい。アクセス端末装置１１６（ＡＴ）が、アンテナ１１２および１１４と通信状態にあり、アンテナ１１２および１１４は、ダウンリンク、つまり、順方向リンク１２０でアクセス端末装置１１６に情報を送信し、アップリンク、つまり、逆方向リンク１１８でアクセス端末装置１１６から情報を受信する。アクセス端末装置１１２は、アンテナ１０６および１０８と通信状態にあり、アンテナ１０６および１０８は、順方向リンク１２６でアクセス端末装置１２２に情報を送信し、逆方向リンク１２４でアクセス端末装置１２２から情報を受信する。ＦＤＤシステムにおいて、通信リンク１１８、１２０、１２４、および１２６は、通信のために異なる周波数を使用することが可能である。例えば、順方向リンク１２０は、逆方向リンク１１８によって使用されるのとは異なる周波数を使用することが可能である。
【００１３】
アンテナの各グループ、および／またはそれらのアンテナが通信するように設計された区域は、しばしば、アクセスポイントのセクタと呼ばれる。或る態様において、アンテナグループはそれぞれ、アクセスポイント１００によって範囲に含まれる区域のセクタ内のアクセス端末装置に通信するように設計される。アクセスポイント（ＡＰ）１００は、端末装置と通信するために使用される固定局であることが可能であり、さらにアクセスポイントと呼ばれる、ノードＢと呼ばれる、または他の何らかの用語で呼ばれることも可能である。アクセス端末装置は、アクセス端末装置と呼ばれる、ユーザ機器（ＵＥ）と呼ばれる、ワイヤレス通信デバイス、ワイヤレス通信端末装置、またはワイヤレス通信アクセス端末装置と呼ばれる、あるいは他の何らかの用語で呼ばれることも可能である。
【００１４】
１つだけの基地局またはＡＰ１００が図１に示されるが、それぞれのネットワーク技術または無線アクセス技術に関するサービスをそれぞれ提供する複数の基地局（または複数のＲＡＴ）が区域内に存在することが可能であることにさらに留意されたい。したがって、或る特定の区域内のＡＴ、ＵＥ、またはモバイルデバイスは、区域内のＲＡＴのうち複数のＲＡＴを検知し、さらに／またはそのようなＲＡＴで動作するように構成されることが可能である。
【００１５】
以下により詳細に説明されるとおり、本明細書で開示される装置および方法は、低電力検知回路だけが活性で、そのような状態において要求されないデバイスの部分（例えば、ワイヤレス移動局モデム（ＭＳＭ）プラットフォームまたはＭＳＭチップの能動的部分）をシャットダウンすることによって、モバイルデバイスに関するエネルギー節約をもたらす。それでも、サービス条件が変化するにつれ、あるいはモバイルデバイスが特定のＲＡＴに関するサービスエリアに入る、またはそのようなサービスエリアを出るにつれ、利用可能なＲＡＴの少なくともいくらかの定期的探索が望ましい。したがって、本開示は、ワイドエリアネットワーキング（ＷＷＡＮ）信号またはローカルエリアネットワーキング（ＬＡＮ）信号を探索し、獲得することができ、さらにネットワーキング信号を検出することに成功すると、一次トランシーバを起動することができる低電力検知回路も提示する。一次トランシーバは、ＲＦ回路およびベースバンド回路を含み、さらに、いくつかの例として、ＷＣＤＭＡ、ＷｉＭＡＸ、ＬＴＥ、ＵＭＢ、ＣＤＭＡ２０００およびＩＳ−９５を含むＷＷＡＮ標準などの、１つまたは複数の様々なＲＡＴ標準を実施することができる。また、モバイルデバイス内のトランシーバは、ＷｉＦｉなどの１つまたは複数の様々なＬＡＮ標準を実施すること、あるいはＦｅｍｔｏセルおよびＡｔｔｏセルなどのＷＡＮ標準を使用してホームデバイスと通信することができるＲＦ回路を含むことも可能である。
【００１６】
或る態様において、低電力検知回路は、関心対象の１つまたは複数の周波数帯域のため、およびベースバンド処理のための無線周波数（ＲＦ）受信チェーンを含む。低電力ベースバンド処理は、１つまたは複数のワイヤレス標準を探索するように動作可能である構成可能なサーチャ、およびコントローラ（例えば、ＤＳＰまたはＡＲＭプロセッサ）を実施するように構成される。低電力検知回路は、固定の周期で、または可変の周期で周期的に活性化される、または起動されることが可能である。さらに、低電力検知回路の起動周期（つまり、デューティサイクル）は、検知のための起動持続時間と比べて長い期間であるように構成されることが可能である。このことは、エネルギー使用を低減することによって、ワイヤレスデバイスに関するスタンバイ時間の点で相当な向上につながる可能性がある。活性化されるたびに、サーチャは、１つまたは複数の周波数帯域において１つまたは複数のワイヤレス標準からのワイヤレス信号を探索するように構成される。成功した場合、低電力検知回路は、検出の成功を示すトリガを一次トランシーバに送る。一次トランシーバが低電力状態にある場合、一次トランシーバは、より高い電力状態に遷移するように構成されることが可能である。一次トランシーバが、トリガを受け取った時点で、既により高い電力状態にある場合、一次トランシーバは、トリガを無視することを選択することができる。より高い電力状態において、一次トランシーバは、復調、復号、送信などの機能を実行することが可能である。低電力検知回路と一次トランシーバは、いくつかの構成要素が、場合により、低電力検知回路と一次トランシーバの間で共有されて、同一のチップ、もしくはチップの同一のセットにおいて実施されてもよいことに留意されたい。低電力検知回路、ならびに一次トランシーバからの共有される構成要素はすべて、同一の電力領域内に存在することが可能である一方で、一次トランシーバの共有されない構成要素は、プラットフォーム上の異なる電力領域内に存在することが可能である。
【００１７】
一例において、図２は、図示されるとおり、１つのチップもしくはＡＳＩＣにおいて実施されることも、代替として、複数のチップセットの間に分けられることも可能なワイヤレスクライアントプラットフォーム２００を示す。プラットフォーム２００は、図１のデバイス１１６または１２２などのモバイルワイヤレスデバイスにおいて使用されることが可能である。プラットフォーム２００は、より低電力のハードウェア、より低電力のプロセッサ上で動作するソフトウェア、あるいはそのようなハードウェアとソフトウェアの組合せとして実施可能である、より低電力の手段を使用して、異なる１つまたは複数のワイヤレス技術および周波数を検知するための、より低エネルギーのワイヤレス検知パーティションである第１の部分２０２を含む。
【００１８】
また、プラットフォーム２００は、部分２０２と比べて、より高い電力レベルで動作する、より高エネルギーの処理パーティション２０４も含む。パーティション２０４は、プラットフォーム２００において情報を受信するため、処理するため、および送信するために必要とされる１つまたは複数の無線機を実施する一次トランシーバ２０６、ならびにホスト処理２０８、メモリ２１０、カスタムロジック２１２などを含むことが可能である。
【００１９】
低電力検知回路（例えば、部分２０２の少なくとも一部分）および一次トランシーバは、図２に示されるとおり、同一のチップにおいて実施されても、あるいはチップの別々のセットにおいて、ただし、いくつかの構成要素がそれらのセットの間で共有されて、実施されてもよいことが企図される。或る態様において、パーティション２０２の検知回路は、別個の電力領域において実施されることが可能である。別の態様において、一次トランシーバからのいくつかの共有される構成要素は、検知回路のいくつかの構成要素と同一の電力領域内で実施され得る。この例を例示するものとして、図２は、共有されない、より低エネルギーのサブパーティション２１４と、より高エネルギーのパーティション２０４と構成要素を共有するように構成された、オプションの、共有される、より低エネルギーのサブパーティション２１６とを示す。さらなる例として、パーティション２０２内の低電力検知回路は、以下、すなわち、アナログ−ディジタル（Ａ／Ｄ）変換器、ディジタル化されたサンプルメモリ、ハードウェアまたはソフトウェアとして実施されるサーチャデバイス、およびプロセッサなどのデバイスの１つまたは複数を含むことも可能である。しかし、代替として、これらのデバイスの１つまたは複数が、低電力検知回路のために、より低い電力で動作するように構成されることが可能であるが、一次受信機の、より高電力の動作のためにも使用されるように十分な動作容量を備えて構成され、したがって、共有されることも可能であることも企図される。この例において、低電力検知回路の共有される構成要素は、一次トランシーバからの共有される構成要素とともにすべて、図２に示されるとおり、同一の電力領域（すなわち、同一の電力領域２０２内のパーティション２１４および２１６）内に存在することが可能である一方で、一次トランシーバの共有されない構成要素は、プラットフォーム２００上の異なる電力領域（例えば、２０４）内に存在することも企図される。
【００２０】
起動信号および割込み（例えば、通信結合２１８を介する）は、リアルタイムクロック（ＲＴＣ）領域によって供給されることが可能である。ＲＴＣ領域は、モバイルデバイスが休止しており、一次トランシーバにおける通常の動作、または能動的動作のために使用される、より高周波数で、より高い電圧で制御される水晶発振器（ＶＣＸＯ）クロックが休止させられる場合に、より少ないエネルギーを使用して、動作しつづけることが可能な、より低周波数のクロック（例えば、３２Ｈｚ）として、通常、実施される。例として、ＲＴＣタイマが、固定周期で、または可変周期で、より低エネルギーのパーティション２０２内の検知回路を周期的に活性化するのに使用されることが可能である。また、起動トリガが、一次トランシーバを起動するのに使用され得るＲＴＣ領域における割込みをトリガするのに使用されることが可能である。システムがアウトオブサービスモードに入っている場合、より高電力の無線機は、それらの無線機が存在する電力領域においてシャットダウンされることが可能であり、検知回路だけが活性のままである。検知回路に関する起動の周期は、デバイスの動作の持続時間全体にわたって一様に保たれることが可能である。起動のそのような周期は、デバイスがシャットダウンされ、デバイスが再スタートされる場合、変更されることが可能である。検知回路のすべて、または検知回路の一部分（検知回路を周期的に起動する必要があるタイマを備える構成要素などの）だけが、常に活性であることが可能である。
【００２１】
さらに、或る態様において、パーティション２０２によって実施されるサーチャは、可能なすべてのＲＡＴではなく、可能なワイヤレス技術のサブセットを探索するように構成されることが可能である。別の態様において、パーティション２０２によるワイヤレス信号の検知または探索は、様々なワイヤレスキャリア周波数（異なるワイヤレス技術、または或る技術内の異なる帯域（例えば、異なる４つのＷＣＤＭＡ帯域を探索すること）に対応することが可能な）におけるエネルギーを測定することを含むことが可能である。さらに、検知すること、または探索することは、受信された信号を、スクランブル符号（単に一例としてＷＣＤＭＡにおけるような）などの、格納された参照情報と互いに関係付けることを含むことも可能である。
【００２２】
また、さらなる態様において、より低電力のパーティション２０２が、一次トランシーバによって、通常、実行される、ユーザ専用の信号を復調すること、および復号することをせずに、受信された信号の少なくとも一部分を復調し、復号して、識別子情報（例えば、ネットワークもしくは送信機を識別する情報、またはタイミング情報、地理的情報その他などの他の情報）などの、検知されたワイヤレスアクセス技術に関するさらなる情報を解読する、または特定するように構成されることが可能であることも企図される。したがって、パーティション２０２は、受信された信号からワイヤレス技術に関するさらなる情報を解読する、または特定するように構成されたオプションの復調器および復号器２２０を備えて示される。
【００２３】
さらなる態様において、図３は、図２に示されるパーティション２０２のために使用されることが可能な、より低エネルギーの、またはより低電力のパーティション３００の１つの例示的な実施形態を示す。図示されるとおり、より低エネルギーの検知パーティション３００は、関心対象の１つまたは複数の周波数帯域ｋ（例えば、異なるワイヤレスアクセス技術）に関するＫ個のワイヤレスＲＦアナログ受信チェーン３０２1〜３０２Kと、少なくとも、パーティション３００の、より低い電力で動作し、１つまたは複数のワイヤレスアクセス技術を探索する構成可能なサーチャを実施するように構成されたベースバンドプロセッサ３０４とを含むことが可能である。或る態様において、低エネルギーパーティションのディジタルベースバンド３０４は、ローカルプロセッサ３０６と、メモリ３０８と、受信された信号を処理するための、アクセラレータなどのカスタムロジック３１０と、そのようなタスクを実行する最小限のソフトウェアとを含む。このソフトウェアおよびカスタムロジックは、ワイヤレス信号のサブセットに関して検知することなどの、タスクの任意のサブセットを処理するように構成されることが可能である。より低電力のベースバンド回路３０４は、１つまたは複数のワイヤレス標準を検知するために、構成可能なサーチャ（例えば、少なくとも部分的に、カスタムロジック３１０によって実施される）、およびプロセッサもしくはコントローラ（例えば、ＤＳＰまたはＡＲＭプロセッサ）を含むように構成されることも可能である。或る態様において、メモリ３０８は、受信された信号を知られている技術と互いに関係付ける際に使用するための、スクランブル符号（単に一例としてＷＣＤＭＡにおけるような）などの、格納された参照情報を格納していることが可能である。
【００２４】
別の態様において、ディジタルベースバンド３０４は、ワイヤレスアクセス技術の存在を検知する、または検出するために、ＲＦチェーン３０２からの信号のちょうど十分な処理を実行するように構成されることが可能であり、したがって、結合２１８を介するトリガが、より高電力のパーティション２０４を起動して、信号の実際の復調および復号を実行するように送られることが可能である。さらに、或る態様において、ベースバンド３０４は、より高エネルギーのパーティションが休止している間に、検知するタスクを周期的に実行するようにパーティション３００を起動する少なくとも１つのＲＴＣ領域タイマ３１２を含むことも可能である。
【００２５】
漏れのより少ない、より低パフォーマンスのライブラリが、より高エネルギーのパーティション２０４（または別の例では、より低エネルギーのパーティション３００の他の部分）などの他の回路と比較して、より低エネルギーのパーティション３００内のディジタルベースバンド処理部分、もしくは他の部分、プロセス、または処理のために使用されることが可能であることに留意されたい。そのような、漏れのより少ないライブラリの例には、より低エネルギーのパーティション３００に関して使用される同一のプロセス技術における、漏れのより少ない、より低速のトランジスタが含まれる。さらに、様々なＲＦチェーンのためのＲＦ構成要素に関する、より複雑度の低い設計が、より緩い制約で使用されることが可能であり、したがって、その設計が、より単純な実施形態で、より少ないエネルギーしか要求せず、それによってさらに多くのエネルギーを節約することが企図される。例えば、ＲＦチェーンに関するＲｘと関係する非ディジタルベースバンド構成要素が、より高エネルギー処理のための実施形態と比べて、より低いパフォーマンスプロセス技術で実施されることが可能である。
【００２６】
代替において、より低電力のパーティションにおける処理は、より低電力のパーティション内、またはより高電力のパーティション内の他の時間領域とは独立の時間である非リアルタイムで生じることも可能である。したがって、図４は、図２に示されるパーティション２０２のために使用されることが可能な、より低エネルギーの、またはより低電力のパーティション４００の別の例示的な実施形態を示す。パーティション４００は、１つまたは複数の特定のＲＡＴが存在するか否かを判定する際の、バッファリングされた、検知された情報の低速の非リアルタイム処理を含むことが可能なパーティションの例である。図４の番号を付けられた要素は、図２および図３に関連して前述した、同様に番号が付けられた要素に対応し、これらの要素の説明は、簡明のため省略されていることに留意されたい。
【００２７】
図３のパーティション３００と同様に、より低電力のパーティション４００は、１つまたは複数のワイヤレスアクセス技術を探索する構成可能なサーチャを生成するディジタルベースバンド処理４０２を含む。しかし、ディジタルベースバンド処理４０２は、ＲＦ受信チェーン３０２の１つまたは複数によって受信されたＲＦ信号をバッファリングするように構成されたバッファ４０４を含む。バッファ４０４の中に一時的に格納された信号は、次に、それらの信号を処理して、１つまたは複数のＲＡＴが存在するかどうかを判定することができる非リアルタイムプロセッサ４０６に読み出される。非リアルタイムプロセッサ４０６は、能動的ワイヤレス信号処理（例えば、パーティション２０４内のプロセッサ２０８による）に関する信号を処理して、非リアルタイム処理が、より高エネルギーの領域（パーティション２０４）の動作と同時期に、または同時に、それでも、時間に無関係に、または非同期で行われることが可能であるようにすることに留意されたい。
【００２８】
さらに別の代替において、サーチャまたは探索／検知機能は、タスクが、過去の探索履歴に基づいて並べ替えられる、または変更されることが可能であるように構成可能、または適合可能であり得る。このため、サーチャは、各起動期間中に異なるワイヤレス技術を探索するように構成されることが可能であり、あるいは様々なワイヤレス技術に優先順位が付けられて、サーチャがまず、第１の技術を探し、次に、第２の技術を探すといった具合であることが可能である。さらに、タスクの並べ替え／変更は、基準信号に対する格付けされたキャリア信号強度レベル、または格付けされた相関などの基準に基づくことも可能である。したがって、図５は、図２に示される検知パーティション２０２のために使用されることが可能な低エネルギーの、または低電力のパーティション５００のさらに別の例示的な実施形態を示す。図５の特定の例において、ディジタルベースバンド処理５０２は、１つまたは複数のワイヤレスアクセス技術を探索する構成可能なサーチャを実施するさらに別の例示的な変形形態である、適応エンジン５０４を含むことが可能である。一例において、適応エンジン５０４は、ＲＡＴのリストを特定して検知するように構成された、探索履歴メモリ５０８などのメモリと連携するタスクエンジン５０６を含むことが可能である。さらに、タスクエンジン５０６は、検知されるべき様々なＲＡＴを追加する、または削除するようにリストを適応的に変更することが可能であり、さらにいずれのＲＡＴが先行して検知されているかなどの、先行する検知された情報に基づくことも可能である。
【００２９】
さらに、タスクエンジン５０６は、所定のメトリックに基づいて探索タスクに順序付けする、または優先順位を付けるように構成されることが可能である。例えば、エンジン５０６は、例えば、先行する検知されたＲＡＴに基づいて、ワイヤレスアクセス技術に順序付けする、または以前に設定された順序付けを並べ替えるように構成されることが可能である。この機能を実施するために、適応エンジンは、例示される探索履歴メモリ５０８、または同等のメモリを使用して、探索されるワイヤレスアクセス技術、ならびにそれらの技術がパーティション５００によって探索される順序を常に把握していることが可能である。さらに、メモリ５０８と連携したタスクエンジン５０６は、先行する検知された情報を使用して、探索すべきワイヤレスアクセス技術のリストを特定するように構成されることが可能である。所定のメトリックは、信号強度、または信号相関の度合いを含むことも可能である。
【００３０】
図３〜図５の装置は、複数のワイヤレスＲＦチェーン３０２を示すものの、１つのＲＦチェーンもしくはＲＦチェーンロジックが利用されて、このＲＦチェーンが複数の異なるＲＡＴを検知するために共有されることも可能であることに留意されたい。つまり、単一のＲＦチェーン３０２が、異なる２つ以上のＲＡＴを検知するように再使用され得るように構成可能であり得る。
【００３１】
さらに、或る態様において、低電力回路の回路の少なくとも一部分（例えば、２０２、３００、４００、または５００）は、より高電力の回路（例えば、パーティション４００）の構成要素と比べて、漏れのより少ない設計ライブラリの構成要素を備えて構成されることが可能であることに留意されたい。別の態様において、低電力回路（２０２、３００、４００、または５００）は、より高電力のパーティション２０４内の１つまたは複数の第２の構成要素を備えて実施される部分と機能的に同等である１つまたは複数の第１の構成要素を備えて実施される、いくつかの部分を少なくとも有することが可能であり、第１の構成要素は、第２の構成要素と比べて、より低速で、またはより少ない漏れで動作することに留意されたい。例えば、第１の構成要素は、前述したとおり、漏れのより少ないライブラリを備えて実施されることが可能である。そのような機能の例には、復号、復調、および信号処理が含まれることが可能である。
【００３２】
さらに、第１の構成要素は、第２の構成要素によって実行される同一の機能、または同一のタスクを実行するのに、より少ないエネルギーを消費するように構成されることが可能であることに留意されたい。このため、例えば、より低エネルギーのパーティション内の様々な構成要素（２０２、３００、４００、または５００）は、より高エネルギーのパーティション２０４内でも実行され得る同一のタスクを実行する、より低エネルギーの、または漏れのより少ないライブラリを備えて実施される。したがって、漏れのより少ないライブラリは、より低速のパフォーマンスを有するものの、様々なタスクに関するパフォーマンスに関してタイミングがクリティカルではない場合、これらのタスクは、より大きい電力節約のために、より低エネルギーのパーティションによって実行されることが可能である。これらの同一のタスクのパフォーマンスがタイムクリティカルになる可能性がある場合の例では、実行は、より高速のパフォーマンス特性を有する、より高エネルギーのパーティション構成要素に切り換えられることも可能である。
【００３３】
図６は、ワイヤレスアクセス技術を検知する際にモバイルデバイスにおいてエネルギー使用を低減するのに使用されることが可能である例示的な方法を示す。図示されるとおり、方法６００は、ブロック６０２に示されるとおり、モバイルデバイス内の第２の回路部分（例えば、図２の、より高エネルギーの処理パーティション２０４などの、能動回路または一次トランシーバ）と比べて、より低い電力レベルで動作するように構成された第１の回路部分（例えば、パーティション２０２、３００、４００、または５００などの休止モードまたはアイドルモードの回路）を使用して、１つまたは複数のワイヤレスアクセス技術を探索することを含む。ブロック６０２で、１つまたは複数のワイヤレスアクセス技術の探索または検知が実行された後、フローは、ブロック６０４に進み、それらのワイヤレスアクセス技術の１つまたは複数の技術からの少なくとも１つの信号が検出されると、第２の回路部分を起動するように構成されたトリガ信号が、第１の回路部分によって生成される。
【００３４】
さらなる例において、第１の回路部分が、ブロック６０２における探索の後、ワイヤレス技術を検出しなかった場合、第１の回路は、休止させられ、その後、いくらかの所定の周期（可変または固定の）の後に、ブロック６０２で検知することを再び開始するように起動させられる。別の態様において、検知する回路部分、つまり、第１の回路部分は、固定周期または可変周期で周期的に活性化されることが可能である。各活性化の後、検知回路は、１つまたは複数の周波数帯域における１つまたは複数のワイヤレス技術からのワイヤレス信号を探索するように動作可能である。成功した場合、検知回路は、一次トランシーバを含む能動回路に、検出の成功を示すトリガ信号を送信する。能動回路が低電力状態にある場合、能動回路は、そのトリガを受信すると、より高い電力状態に遷移するように構成されることが可能である。能動回路が、そのトリガを受信した時点で、既により高い電力状態にある場合、能動回路は、そのトリガを無視することを選択するように、あるいは、一次トランシーバにおいて、現在、復調／復号され、能動回路によって処理されている技術とは異なる場合、別のワイヤレスアクセス技術の検知を登録するのに、そのトリガを使用するように構成されることが可能である。より高い電力状態において、一次トランシーバは、復調および復号だけでなく、送信などの他の機能を実行することも可能である。
【００３５】
図７は、モバイルデバイスにおけるワイヤレス技術の低電力検知のためにモバイルデバイスにおいて使用するための装置７００のブロック図を示す。一例において、装置７００は、図２のプラットフォームにおけるパーティション２０２（または図３〜図５に提示されるそのようなパーティションの変形形態）などの、チップセットまたはプラットフォームにおける低電力パーティションとして実施されることが可能である。装置７００は、モバイルデバイス内の第２の回路部分と比べて、より低い電力レベルで動作するように構成された第１の回路部分を使用して、１つまたは複数のワイヤレスアクセス技術を探索するため、または検知するための手段７０２を含む。手段７０２は、受信されたワイヤレスＲＦ信号を介して、これらの技術を検知し、このため、これらのワイヤレス信号の受信を表すアンテナ入力が示される。
【００３６】
或る態様において、手段７０２は、低電力パーティション２０２、３００、４００、または５００によって、より詳細には、開示されるワイヤレスＲＦチェーン３０２、および共有されない、より低エネルギーのサブパーティション２１４、またはディジタルベースバンド処理（例えば、３０４、４０２、または５０２）によって実施されることが可能である。別の態様において、手段７０２は、ハードウェア、ソフトウェア、ファームウェア、または以上の任意の組合せを介して実施されることが可能である。或る例において、手段７０２は、前述した様々な異なる構成において１つまたは複数のワイヤレス技術を探索するように構成され得る構成可能なサーチャを生成する。また、装置７００は、手段７０２による少なくとも１つのワイヤレスアクセス技術の特定を、装置７００内の他の手段に通信することなどの、装置７００内の他の手段またはデバイスへの情報の通信を例示する、通信バス、または同等に機能するデバイスなどの、通信結合７０４も備えて示される。
【００３７】
装置７００は、１つまたは複数のワイヤレスアクセス技術からの少なくとも１つの信号が手段７０２によって検出されると、第２の回路部分（例えば、図２の、より高エネルギーの処理パーティション２０４）を起動するように構成されたトリガ信号を生成するための手段７０４をさらに含む。或る態様において、手段７０４は、低電力パーティション２０２、３００、４００、または５００によって、より詳細には、開示される、共有されない、より低エネルギーのサブパーティション２１４、またはディジタルベースバンド処理（例えば、３０４、４０２、または５０２）によって実施されることが可能である。別の態様において、手段７０２は、ハードウェアを介して、ソフトウェアを介して、ファームウェアを介して、あるいは先に開示された１つまたは複数の要素３０６、３１８、３１０、および３１２の組合せを介するなど、ハードウェアとソフトウェアとファームウェアの任意の組合せを介して実施されることが可能である。
【００３８】
やはり図７に示されるのが、装置７００が、プロセッサ７０８と、プロセッサ７０８によって実行可能な命令を格納するためのメモリ７１０とを含むことが可能な代替の構成である。プロセッサ７０８は、ワイヤレスアクセス技術を検知すること、または特定すること、および起動トリガが一次トランシーバに送られるようにすることなどの、装置７００内の様々な手段を支援する様々な機能を実行するように構成されることが可能である。装置７００は、第２の能動回路部分と比べて、より低い電力で動作可能な第１の回路部分として実施されることが可能であることに留意されたい。さらに、それらの様々なモジュールは、第１の回路部分においてエネルギーを節約するようにアイドルモードまたは休止モードを実施するようにさらに動作可能であり得る。
【００３９】
図８は、モバイルデバイスにおけるワイヤレス技術の低電力検知のためにモバイルデバイスにおいて使用するための別の例示的な方法８００の流れ図である。検知タスクを開始すると（すなわち、１つまたは複数のワイヤレスアクセス技術を探索する周期的開始）、フローは、ブロック８０２に進む。ブロック８０２で、モバイルデバイス内の第２の回路部分と比べて、より低い電力レベルで動作するように構成された第１の回路部分を使用して、１つまたは複数のワイヤレスアクセス技術の探索が実行される。次に、フローは、判定ブロック８０４に進み、ワイヤレスアクセス技術が検出されたかどうかが判定される。技術が検出された場合、フローは、ブロック８０６に進み、第２の回路部分の起動をトリガすることが開始される。第２の回路が既に活性である場合、トリガは、単に、新たな検知された情報が利用できることを第２の回路に知らせるだけであることが可能であることに留意されたい。
【００４０】
他方、ブロック８０４で技術が検出されなかった場合、フローは、別の判定ブロック８０８に進み、探索リストが空であるかどうかが判定される。探索リストは、ワイヤレスデバイスが探索するように構成されている所定のワイヤレスアクセス技術のリストである。このリストは、予め決められ、所定の順序になっており、さらにローカルメモリ１０８などのメモリの中に格納されていることが可能であり、あるいは後段で説明されるとおり、適合可能である、特定可能である、または可変であることも可能である。ブロック８０８における判定により、リストが空である場合、このことは、リストの中のワイヤレスアクセス技術のそれぞれを検知しようとする試みが行われた（このため、リストが尽きて空になった）ことを示し、検知タスクは、終了する。
【００４１】
しかし、ブロック８０８における判定により、リストが尽きていない場合、フローは、ブロック８１０に進む。ブロック８１０で、所定の順序に基づき、探索すべき１つまたは複数のワイヤレスアクセス技術の次の技術の選択。次に、フローは、ブロック８０２に進み、選択された次のワイヤレスアクセス技術が探索され、ブロック８０４で、その技術が存在するかどうかの判定。
【００４２】
図９は、信号がバッファリングされ、非リアルタイムで処理され得る、モバイルデバイスにおけるワイヤレス技術の低電力検知のためにモバイルデバイスにおいて使用するための別の方法９００の別の流れ図である。検知タスクの開始の後、フローは、ブロック９０２に進み、ワイヤレスアクセス技術の探索リストの中の所定の順序に基づいて、探索すべき最初の１つまたは複数のワイヤレスアクセス技術の選択。ブロック９０２における選択の後、ブロック９０４に示されるとおり、モバイルデバイス内の第２の回路部分と比べて、より低い電力レベルで動作するように構成された第１の回路部分（例えば、２０２または４００）を使用して、１つまたは複数のワイヤレスアクセス技術からの信号が受信される。それらの信号が受信された後（またはブロック９０４で、それらの信号が受信されるにつれ）、それらの信号は、ブロック９０６によって示されるとおり、バッファリングされる。
【００４３】
次に、それらのバッファリングされた信号は、非リアルタイム処理されて、判定ブロック９０８において示されるとおり、非リアルタイム処理の後に、その特定のワイヤレスアクセス技術が存在するかどうかが判定される。その特定のワイヤレスアクセス技術が検出されなかった場合、フローは、判定ブロック９１２に進み、探索リストが空であるかどうかが判定される。リストが尽きていない場合、フローは、ブロック９１４に進み、リストの中の１つまたは複数のワイヤレスアクセス技術の次の技術を選択し、ワイヤレス信号のさらなる受信のためにブロック９０４に戻る。他方、リストが尽きている場合、タスクは、終了する。
【００４４】
ブロック９１０における判定により、ワイヤレスアクセス技術が検出された場合、次に、フローは、ブロック９１６に進み、第２の回路部分の起動が開始される。第２の回路が既に活性である場合、トリガは、単に、新たな検知された情報が利用できることを第２の回路に知らせるだけであることが可能である。
【００４５】
図１０は、ワイヤレスアクセス技術の適応的な検知の使用を介して、モバイルデバイスにおけるワイヤレス技術の低電力検知のためにモバイルデバイスにおいて使用するための方法１０００のさらに別の流れ図である。開始の後、フローは、ブロック１００２に進み、ワイヤレスアクセス技術の検索リストが、先行する検知された情報に基づいて特定され、順序付けられる（または、デバイスへの電源投入の直後などの、先行する検出された情報が全く利用できない場合、最初に特定され、順序付けられる）。さらに、ブロック１００２のプロセスは、リストを拡大する、または切り詰めるようにリストを変更し、さらに、必要な場合、先行する検知された情報を使用してリストを並べ替えることを含むことが可能である。
【００４６】
探索リストの特定および／または順序付けの後、フローは、ブロック１００４に進み、ブロック１００２におけるプロセスから特定された順序に基づいて、１つまたは複数のワイヤレスアクセス技術の第１の技術が、探索されるように選択される。次に、フローは、モバイルデバイスにおける第２の回路部分と比べて、より低い電力レベルで動作するように構成された第１の回路部分を使用して、選択されたワイヤレスアクセス技術の１つまたは複数からの信号を受信するプロセスが関与するブロック１００６に進む。或る態様において、受信の後、選択された１つまたは複数のワイヤレスアクセス技術の検出が、リアルタイムで、または非リアルタイムで実行されることが可能であることに留意されたい。
【００４７】
受信された信号からの検知された情報は、ブロック１００８によって示されるとおり、格納のためにフィードバックされることが可能であることに留意されたい。この格納された情報は、ブロック１００２のリスト特定が、ブロック１００８で実行される格納からの、先行する検知された情報に適応して変形される、または変更される適応的な検知を可能にするように使用されることが可能である。
【００４８】
さらに、ブロック１００６のプロセスの後、フローは、判定ブロック１０１０に進み、その特定のワイヤレスアクセス技術が検知されている、または検出されているかどうかが判定される。検知も検出もされていない場合、フローは、判定ブロック１０１２に進み、探索リストが空であるかどうかが判定される。探索リストが空であり、リストの中のすべてのワイヤレスアクセス技術が検出されるように試みられたことが示される場合、方法１０００によって実行される検知タスクは、終了する。探索リストが空ではない場合、プロセスは、ブロック１０１４に進み、特定された順序（ブロック１００２において以前に特定された）に基づいて、その１つまたは複数のワイヤレスアクセス技術の次の技術が選択され、その後、プロセスは、選択されたワイヤレスアクセス技術のその後の探索のためにブロック１００６に戻る。
【００４９】
ブロック１０１０で、或るワイヤレスアクセス技術が検出された場合、次に、フローは、ブロック１０１６に進むことが可能である。ブロック１０１６で、第２の回路部分（例えば、一次トランシーバ）のトリガ起動の発行が実行される。第２の回路が既に活性である場合、トリガは、単に、新たな検知された情報が利用できることを第２の回路に知らせるだけであることが可能である。ブロック１０１６でトリガが発行された後、方法１００によって実施される検知タスクは、終了する。
【００５０】
図６、および図８〜図１０に示される方法は、単一回の動作として示されるものの、検知タスク、および付随するプロセスは、所定のとおりワイヤレスアクセス技術を検知することを続けるように、周期的に繰り返されてもよいものと理解されることに留意されたい。さらに、方法６００、８００、９００、または１００の終了の後、第１の、より低電力の回路部分は、電力を節約するように休止モードまたはアイドルモードに入れられて、その後、検知タスクを再び実行するように固定周期または可変周期で起動される、または活性にされることも可能である。
【００５１】
以上の説明に鑑みて、本開示は、ＷＡＮ技術およびＬＡＮ技術を含め、１つまたは複数のワイヤレスアクセス技術に関するワイヤレス信号の、より低電力の探索または検知を可能にする方法および装置を提供することが理解され得る。このため、プラットフォームの、より低いエネルギー部分は、低電力で検知を実行することが可能であるのに対して、プラットフォームの、より高いエネルギー部分は、休止し、より大きい電力節約をもたらす。また、より低電力のパーティション（例えば、２０２）は、受信された信号からワイヤレス技術に関するさらなる情報を解読する、または特定する復調器および復号器を含むことが可能であることも企図される。さらに、本明細書で開示される装置および方法は、低エネルギーページングサポート（低エネルギーページングの例は、２００８年５月１９日に出願され、参照により本明細書に組み込まれている、Ｋｏｈｌｍａｎｎ他による米国特許出願第１２／１５２，９１１号において説明されている）を提供するのに使用され得ることも企図される。
【００５２】
以上の説明から、開示される方法および装置は、特定のシステムがアウトオブサービスモードに入っている場合、一次トランシーバなどの、より高電力の無線機は、それらの無線機が存在する電力領域においてシャットダウンされることが可能であり、より低電力の検知回路だけが自分自身の休止またはアイドルモードで動作可能のままであるようにすることが認識され得る。検知回路に関する起動の周期は、デバイスの動作の持続時間全体にわたって一様に保たれるかまたは変えられることが可能である。また、起動の周期は、デバイスがシャットダウンされ、デバイスが再スタートされる場合、変更されることが可能である。検知回路のすべて、または検知回路の一部分（検知回路を周期的に起動するタイマ（例えば、ＲＴＣタイマ）を備える構成要素などの）だけが、常に活性であることが可能である。したがって、前述の装置および方法は、ワイヤレスアクセス技術を検知するのに起動された一次トランシーバを使用するのではなく、より低電力の検知回路を使用して、それらの技術の存在を検知することによって、知られている方法に優る、より大きい電力節約を可能にすることが、当業者には認識されよう。より低電力の回路が休止モードまたはアイドルモードに入れられ、検知タスクを実行するように周期的に起動されることがさらに可能であることは、さらにより大きい電力節約を実現する。
【００５３】
開示されるプロセスにおけるステップの特定の順序または階層は、単に、例示的なアプローチの例であるものと理解される。設計上の選好に基づいて、プロセスにおけるステップの特定の順序または階層は、本開示の範囲内に留まりながら、並べ替えられることが可能であるものと理解される。添付の方法クレームは、それらの様々なステップの要素をサンプル順序で提示し、提示される特定の順序または階層に限定されることは意味しない。
【００５４】
情報および信号は、様々な異なる技術および技法のいずれを使用して表されてもよいことが、当業者には理解されよう。例えば、以上の説明の全体で言及されることが可能なデータ、命令、コマンド、情報、信号、ビット、シンボル、およびチップは、電圧、電流、電磁波、磁界または磁気粒子、光の場または粒子、または以上の任意の組合せによって表現されることが可能である。
【００５５】
本明細書で開示される実施例に関連して説明される様々な例示的な論理ブロック、モジュール、回路、およびアルゴリズムステップは、電子ハードウェアとして実施されても、コンピュータソフトウェアとして実施されても、あるいはその両方の組合せとして実施されてもよいことが、当業者にはさらに理解されよう。ハードウェアとソフトウェアの、この互換性を明確に示すのに、様々な例示的な構成要素、ブロック、モジュール、回路、およびステップが、概ね機能の点で以上に説明されてきた。そのような機能が、ハードウェアとして実施されるか、ソフトウェアとして実施されるかは、全体的なシステムに課される特定の用途上の制約、および設計上の制約に依存する。当業者は、説明される機能を、それぞれの特定の用途のために、様々な仕方で実施することができるが、そのような実施上の決定が、本発明の範囲からの逸脱を生じさせるものと解釈されてはならない。
【００５６】
本明細書で開示される実施例に関連して説明される様々な例示的な論理ブロック、論理モジュール、および論理回路は、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートのゲートもしくはトランジスタロジック、ディスクリートのハードウェア構成要素、あるいは本明細書で説明される機能を実行するように設計された以上の任意の組合せを使用して実施される、または実行されることが可能である。汎用プロセッサは、マイクロプロセッサであることが可能であるが、代替として、プロセッサは、任意の従来のプロセッサ、コントローラ、マイクロコントローラ、または状態マシンであってもよい。また、プロセッサは、コンピューティングデバイスの組合せとして、例えば、ＤＳＰとマイクロプロセッサの組合せ、複数のマイクロプロセッサ、ＤＳＰコアと連携する１つまたは複数のマイクロプロセッサ、または他の任意のそのような構成として実施されることも可能である。
【００５７】
本明細書で開示される実施例に関連して説明される方法またはアルゴリズムのステップは、ハードウェアで直接に、プロセッサによって実行されるソフトウェアモジュールで、またはこの２つの組合せで実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルなディスク、ＣＤ−ＲＯＭ、または当技術分野で知られている他の形態の任意の記憶媒体の中に存在することが可能である。例示的な記憶媒体は、プロセッサが、その記憶媒体から情報を読み取ること、およびその記憶媒体に情報を書き込むことができるように、プロセッサに結合される。代替として、記憶媒体は、プロセッサと一体化していてもよい。プロセッサと記憶媒体は、ＡＳＩＣの中に存在することが可能である。このＡＳＩＣは、ユーザ端末装置内に存在することが可能である。代替として、プロセッサと記憶媒体は、ユーザ端末装置内のディスクリートの構成要素として存在してもよい。
【００５８】
１つまたは複数の例示的な実施形態において、説明される機能は、ハードウェアで、ソフトウェアで、ファームウェアで、あるいは以上の任意の適切な組合せで実施されることが可能である。ソフトウェアで実施される場合、それらの機能は、１つまたは複数の命令またはコードとしてコンピュータ可読媒体上に格納される、またはコンピュータ可読媒体を介して送信されることが可能である。コンピュータ可読媒体は、１つの場所から別の場所にコンピュータプログラムを移すことを円滑にする任意の媒体を含むコンピュータ記憶媒体と通信媒体の両方を含む。記憶媒体は、コンピュータによってアクセスされ得る任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、あるいは命令またはデータ構造の形態で所望されるプログラムコードを伝送する、または格納するのに使用されることが可能であり、さらにコンピュータによってアクセスされ得る他の任意の媒体を備えることが可能である。また、任意の接続も、コンピュータ可読媒体と適切に呼ばれる。例えば、ソフトウェアが、同軸ケーブル、光ファイバケーブル、より対線、ディジタル加入者線（ＤＳＬ）、あるいは赤外線、無線、およびマイクロ波などのワイヤレス技術を使用してウェブサイト、サーバ、または他の遠隔ソースから送信される場合、その同軸ケーブル、光ファイバケーブル、より対線、ＤＳＬ、あるいは赤外線、無線、およびマイクロ波などのワイヤレス技術が、媒体の定義に含められる。本明細書で使用される場合、ディスク（ｄｉｓｋ）およびディスク（ｄｉｓｃ）には、コンパクトディスク（ＣＤ）、レーザディスク（登録商標）、光ディスク、ディジタルバーサタイルディスク（ＤＶＤ）、フロッピー（登録商標）ディスク、およびブルーレイディスクが含まれ、ただし、ディスク（ｄｉｓｋ）は、通常、データを磁気的に再現するのに対して、ディスク（ｄｉｓｃ）は、レーザを使用してデータを光学的に再現する。また、以上の媒体の組合せも、コンピュータ可読媒体の範囲内に含められなければならない。代替として、記憶媒体は、プロセッサと一体化していてもよい。また、そのプロセッサと記憶媒体が、ＡＳＩＣの中に存在することが可能であり、このＡＳＩＣが、ワイヤレスデバイス内に存在することも可能である。別の代替として、プロセッサと記憶媒体は、デバイス内のディスクリートの構成要素として存在してもよい。
【００５９】
本明細書で使用される「例示的」という語は、「例、実例、または例示の役割をする」ことを意味するように本明細書で使用される。本明細書で「例示的」と説明されるいずれの例も、必ずしも、他の例より好ましい、または有利であると解釈されるべきではない。
【００６０】
開示される実施例の以上の説明は、任意の当業者が、本開示を作成する、または使用することを可能にするように提供される。これらの実施例の様々な変形が、当業者には直ちに明白となり、本明細書において規定される一般的な原理は、本発明の趣旨または範囲を逸脱することなく、他の実施例に適用されることが可能である。このため、本発明は、本明細書で示される実施例に限定されることを意図しておらず、本明細書において開示される原理および新規な特徴と合致する最も広い範囲を与えられるべきである。
【図１】
2015122761.tif 000003
【図２】
2015122761.tif 000004
【図３】
2015122761.tif 000005
【図４】
2015122761.tif 000006
【図５】
2015122761.tif 000007
【図６】
2015122761.tif 000008
【図７】
2015122761.tif 000009
【図８】
2015122761.tif 000010
【図９】
2015122761.tif 000011
【図１０】
2015122761.tif 000012
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
モバイルデバイスにおいて使用するための装置であって、
１つまたは複数のワイヤレスアクセス技術の信号を検知するように動作可能な少なくとも１つの構成可能なサーチャを含む、第１の電力レベルで動作可能な第１の回路部分と、
前記モバイルデバイス内の前記第１の回路部分の前記第１の電力レベルより高い電力レベルで動作するように構成された第２の回路部分とを備える装置。
【手続補正２】
【補正対象書類名】明細書
【補正対象項目名】００６０
【補正方法】変更
【補正の内容】
【００６０】
開示される実施例の以上の説明は、任意の当業者が、本開示を作成する、または使用することを可能にするように提供される。これらの実施例の様々な変形が、当業者には直ちに明白となり、本明細書において規定される一般的な原理は、本発明の趣旨または範囲を逸脱することなく、他の実施例に適用されることが可能である。このため、本発明は、本明細書で示される実施例に限定されることを意図しておらず、本明細書において開示される原理および新規な特徴と合致する最も広い範囲を与えられるべきである。
以下に、本願出願の当初の特許請求の範囲に記載された発明を付記する。
［Ｃ１］  モバイルデバイスにおいて使用するための装置であって、
１つまたは複数のワイヤレスアクセス技術の信号を検知するように動作可能な少なくとも１つの構成可能なサーチャを含む、第１の電力レベルで動作可能な第１の回路部分と、
前記モバイルデバイス内の前記第１の回路部分の前記第１の電力レベルより高い電力レベルで動作するように構成された第２の回路部分とを備える装置。
［Ｃ２］  前記第１の回路部分は、
前記１つまたは複数のワイヤレスアクセス技術の受信された信号を格納するように構成されたバッファと、
前記第１の回路部分、および前記第２の回路部分におけるその他の回路の少なくとも１つの回路の時間領域とは独立した時間領域内で、前記バッファの中に格納された前記受信された信号を処理するように構成された非リアルタイムプロセッサとをさらに備える［Ｃ１］に記載の装置。
［Ｃ３］  前記第１の回路は、先行する検知された情報に基づいて、前記１つまたは複数のワイヤレスアクセス技術の探索リストを並べ替えることおよび優先順位を付けることの少なくともいずれかを行うように、前記１つまたは複数のワイヤレスアクセス技術の前記信号を適応的に処理するように構成された適応エンジンをさらに備える［Ｃ１］に記載の装置。
［Ｃ４］  前記先行する検知された情報は、信号強度と信号相関の少なくともいずれかを含む［Ｃ３］に記載の装置。
［Ｃ５］  前記第１の回路部分は、所定の周期性でアイドル状態または休止状態のいずれかから起動して、前記１つまたは複数のワイヤレスアクセス技術を周期的に検知するようにさらに構成され、前記周期性は、固定または可変である［Ｃ１］に記載の装置。
［Ｃ６］  前記第２の回路部分は、前記第１の回路部分が前記１つまたは複数のワイヤレスアクセス技術の信号を検知する間、休止するように構成された一次トランシーバを備える［Ｃ１］に記載の装置。
［Ｃ７］  前記少なくとも１つの構成可能なサーチャは、単一のワイヤレス技術における搬送波、または２つ以上のワイヤレス技術における搬送波の少なくともいずれかに関して、異なるワイヤレスキャリア周波数でエネルギーを測定することを含むことによって、前記１つまたは複数のワイヤレスアクセス技術の信号を検知するように構成される［Ｃ１］に記載の装置。
［Ｃ８］  前記１つまたは複数のワイヤレスアクセス技術の信号を検知することは、受信された信号を少なくとも１つの参照データと互いに関係付けることを含む［Ｃ１］に記載の装置。
［Ｃ９］  前記参照データは、少なくとも１つのスクランブル符号を備える［Ｃ８］に記載の装置。
［Ｃ１０］  前記第１の回路部分は、
受信された信号を復調するように構成された復調器と、
前記１つまたは複数のワイヤレスアクセス技術に関するさらなる情報を復号するように構成された復号器とを含む［Ｃ１］に記載の装置。
［Ｃ１１］  前記第１の回路部分と前記第２の回路部分の少なくともいずれかは、より低エネルギーのページングサポートを提供するように構成される［Ｃ１］に記載の装置。
［Ｃ１２］  前記第１の回路部分は、前記１つまたは複数のワイヤレスアクセス技術を検知するために使用されるベースバンドプロセッサをさらに備える［Ｃ１］に記載の装置。
［Ｃ１３］  前記ベースバンドプロセッサは、プロセッサ、メモリ、および論理ハードウェアの１つまたは複数を含む［Ｃ１２］に記載の装置。
［Ｃ１４］  前記論理ハードウェアは、ワイヤレスアクセス技術のサブセットを検知することを含むタスクのサブセットを処理するように構成される［Ｃ１３］に記載の装置。
［Ｃ１５］  前記第１の回路部分は、前記ワイヤレスアクセス技術の少なくとも１つからの信号が前記第１の部分によって検知されると、前記第２の回路部分を起動するトリガを発行するようにさらに構成される［Ｃ１］に記載の装置。
［Ｃ１６］  前記第１の部分は、前記第１の部分に検知タスクを周期的に実行させる際に使用するための少なくとも１つのリアルタイムクロック領域タイマを含む［Ｃ１］に記載の装置。
［Ｃ１７］  前記第１の回路部分と前記第２の回路部分は、前記より低い電力で少なくとも動作可能であるように構成された１つまたは複数の構成要素を共有する［Ｃ１］に記載の装置。
［Ｃ１８］  前記第１の回路部分の少なくとも一部分は、前記第２の回路部分内の構成要素と比べて、漏れのより少ない設計ライブラリの構成要素を備えて構成される［Ｃ１］に記載の装置。
［Ｃ１９］  前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する［Ｃ１］に記載の装置。
［Ｃ２０］  前記１つまたは複数の第１の構成要素は、前記１つまたは複数の第２の構成要素と比べて、同等の機能を実行する際に、より少ないエネルギーを消費するように構成される［Ｃ１９］に記載の装置。
［Ｃ２１］  前記モバイルデバイスは、アクセス端末装置を備える［Ｃ１］に記載の装置。
［Ｃ２２］  モバイルデバイスにおいて使用するための方法であって、
前記モバイルデバイス内の第２の回路部分の電力レベルと比べて、より低い電力レベルで動作するように構成された第１の回路部分を使用して、１つまたは複数のワイヤレスアクセス技術を探索すること、および
前記１つまたは複数のワイヤレスアクセス技術の少なくとも１つの所定のワイヤレスアクセス技術が検知されると、前記第２の回路部分を起動するように構成された起動トリガを発行することを備える方法。
［Ｃ２３］  前記１つまたは複数のワイヤレスアクセス技術の受信された信号をバッファリングすること、および
前記第１の回路部分、および前記第２の回路部分におけるその他の回路の少なくとも１つの回路の時間領域とは独立した時間領域内で、前記バッファリングされた、受信された信号を非リアルタイム処理することをさらに備える［Ｃ２２］に記載の方法。
［Ｃ２４］  先行する検知された情報に基づいて、前記１つまたは複数のワイヤレスアクセス技術の探索リストを並べ替えることおよび優先順位を付けることの少なくともいずれかを行うように、前記１つまたは複数のワイヤレスアクセス技術の前記信号を適応的に処理することをさらに備える［Ｃ２２］に記載の方法。
［Ｃ２５］  前記先行する検知された情報は、信号強度と信号相関の少なくともいずれかを含む［Ｃ２４］に記載の方法。
［Ｃ２６］  所定の周期性で前記第１の回路部分を休止状態またはアイドル状態のいずれかから周期的に起動して、前記１つまたは複数のワイヤレスアクセス技術を検索することをさらに備え、前記周期性は、固定または可変である［Ｃ２２］に記載の方法。
［Ｃ２７］  前記第２の回路部分は、前記第１の回路部分が前記１つまたは複数のワイヤレスアクセス技術の信号を検知する間、休止するように構成された一次トランシーバを備える［Ｃ２２］に記載の方法。
［Ｃ２８］  前記１つまたは複数のワイヤレスアクセス技術を探索することは、単一のワイヤレス技術における搬送波、または２つ以上のワイヤレス技術における搬送波の少なくともいずれかに関して、異なるワイヤレスキャリア周波数でエネルギーを測定することを含む［Ｃ２２］に記載の方法。
［Ｃ２９］  前記１つまたは複数のワイヤレスアクセス技術を探索することは、受信された信号を少なくとも１つの参照データと互いに関係付けることを含む［Ｃ２２］に記載の方法。
［Ｃ３０］  前記参照データは、少なくとも１つのスクランブル符号を備える［Ｃ２９］に記載の方法。
［Ｃ３１］  前記１つまたは複数のワイヤレスアクセス技術の受信された信号を復調すること、および
前記復調された信号を復号して、前記１つまたは複数のワイヤレスアクセス技術に関するさらなる情報を特定することをさらに備える［Ｃ２２］に記載の方法。
［Ｃ３２］  前記第１の回路部分と前記第２の回路部分の少なくともいずれかは、より低エネルギーのページングサポートを提供するように構成される［Ｃ２２］に記載の方法。
［Ｃ３３］  前記第１の回路部分は、前記１つまたは複数のワイヤレスアクセス技術を検知するために使用されるベースバンドプロセッサを備える［Ｃ２２］に記載の方法。
［Ｃ３４］  前記１つまたは複数のワイヤレスアクセス技術を探索することは、ワイヤレスアクセス技術のサブセットを検知することを含むタスクのサブセットを処理することを含む［Ｃ２２］に記載の方法。
［Ｃ３５］  所定の周期性で前記１つまたは複数のワイヤレスアクセス技術を探索することをさらに備え、前記周期性は、固定または可変である［Ｃ２２］に記載の方法。
［Ｃ３６］  前記第１の回路部分と前記第２の回路部分は、前記より低い電力で少なくとも動作可能であるように構成された１つまたは複数の構成要素を共有する［Ｃ２２］に記載の方法。
［Ｃ３７］  前記モバイルデバイスは、アクセス端末装置を備える［Ｃ２２］に記載の方法。
［Ｃ３８］  前記第１の回路部分の少なくとも一部分は、前記第２の回路部分内の構成要素と比べて、漏れのより少ない設計ライブラリ構成要素を備えて構成される［Ｃ２２］に記載の方法。
［Ｃ３９］  前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する［Ｃ２２］に記載の方法。
［Ｃ４０］  前記１つまたは複数の第１の構成要素は、前記１つまたは複数の第２の構成要素と比べて、同等の機能を実行する際に、より少ないエネルギーを消費するように構成される［Ｃ３９］に記載の方法。
［Ｃ４１］  モバイルデバイスにおいて使用するための装置であって、
前記モバイルデバイス内の第２の回路部分の電力レベルと比べて、より低い電力レベルで動作するように構成された第１の回路部分を使用して、１つまたは複数のワイヤレスアクセス技術を探索するための手段と、
前記１つまたは複数のワイヤレスアクセス技術の少なくとも１つの所定のワイヤレスアクセス技術が検知されると、前記第２の回路部分を起動するように構成された起動トリガを発行するための手段とを備える装置。
［Ｃ４２］  前記１つまたは複数のワイヤレスアクセス技術の受信された信号をバッファリングするための手段と、
前記第１の回路部分、および前記第２の回路部分におけるその他の回路の少なくとも１つの回路の時間領域とは独立した時間領域内で、前記バッファリングされた、受信された信号を非リアルタイム処理するための手段とをさらに備える［Ｃ４１］に記載の装置。
［Ｃ４３］  先行する検知された情報に基づいて、前記１つまたは複数のワイヤレスアクセス技術の探索リストを並べ替えることおよび優先順位を付けることの少なくともいずれかを行うように、前記１つまたは複数のワイヤレスアクセス技術の前記信号を適応的に処理するための手段をさらに備える［Ｃ４１］に記載の装置。
［Ｃ４４］  前記先行する検知された情報は、信号強度と信号相関の少なくともいずれかを含む［Ｃ４３］に記載の装置。
［Ｃ４５］  所定の周期性で前記第１の回路部分を休止状態またはアイドル状態のいずれかから周期的に起動して、前記１つまたは複数のワイヤレスアクセス技術を検索するための手段をさらに備え、前記周期性は、固定または可変である［Ｃ４１］に記載の装置。
［Ｃ４６］  前記第２の回路部分は、前記第１の回路部分が前記１つまたは複数のワイヤレスアクセス技術の信号を検知する間、休止するように構成された一次トランシーバを備える［Ｃ４１］に記載の装置。
［Ｃ４７］  前記１つまたは複数のワイヤレスアクセス技術を前記探索するための手段は、単一のワイヤレス技術における搬送波、または２つ以上のワイヤレス技術における搬送波の少なくともいずれかに関して、異なるワイヤレスキャリア周波数でエネルギーを測定するための手段を含む［Ｃ４１］に記載の装置。
［Ｃ４８］  前記１つまたは複数のワイヤレスアクセス技術を前記探索するための手段は、受信された信号を少なくとも１つの参照データと互いに関係付けるための手段を含む［Ｃ４１］に記載の装置。
［Ｃ４９］  前記参照データは、少なくとも１つのスクランブル符号を備える［Ｃ４８］に記載の装置。
［Ｃ５０］  前記１つまたは複数のワイヤレスアクセス技術の受信された信号を復調するための手段と、
前記復調された信号を復号して、前記１つまたは複数のワイヤレスアクセス技術に関するさらなる情報を解読するための手段とをさらに備える［Ｃ４１］に記載の装置。
［Ｃ５１］  前記第１の回路部分と前記第２の回路部分の少なくともいずれかは、より低エネルギーのページングサポートを提供するように構成される［Ｃ４１］に記載の装置。
［Ｃ５２］  前記第１の回路部分は、前記１つまたは複数のワイヤレスアクセス技術を検知するために使用されるベースバンドプロセッサを備える［Ｃ４１］に記載の装置。
［Ｃ５３］  前記１つまたは複数のワイヤレスアクセス技術を前記探索するための手段は、ワイヤレスアクセス技術のサブセットを検知することを含むタスクのサブセットを処理するための手段を含む［Ｃ４１］に記載の装置。
［Ｃ５４］  所定の周期性で前記１つまたは複数のワイヤレスアクセス技術を探索するための手段をさらに備え、前記周期性は、固定または可変である［Ｃ４１］に記載の装置。
［Ｃ５５］  前記第１の回路部分と前記第２の回路部分は、前記より低い電力で少なくとも動作可能であるように構成された１つまたは複数の構成要素を共有する［Ｃ４１］に記載の装置。
［Ｃ５６］  前記第１の回路部分の少なくとも一部分は、前記第２の回路部分内の構成要素と比べて、漏れのより少ない設計ライブラリの構成要素を備えて構成される［Ｃ４１］に記載の装置。
［Ｃ５７］  前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する［Ｃ４１］に記載の装置。
［Ｃ５８］  前記１つまたは複数の第１の構成要素は、前記１つまたは複数の第２の構成要素と比べて、同等の機能を実行する際に、より少ないエネルギーを消費するように構成される［Ｃ５７］に記載の装置。
［Ｃ５９］  前記モバイルデバイスは、アクセス端末装置を備える［Ｃ４１］に記載の装置。
［Ｃ６０］  コンピュータに、モバイルデバイス内の第２の回路部分の電力レベルと比べて、より低い電力レベルで動作するように構成された第１の回路部分を使用して、前記モバイルデバイス内の１つまたは複数のワイヤレスアクセス技術を探索させるためのコードと、
前記１つまたは複数のワイヤレスアクセス技術の少なくとも１つの所定のワイヤレスアクセス技術が検知されると、コンピュータに、前記第２の回路部分を起動するように構成された起動トリガを発行させるためのコードとを備えるコンピュータ可読媒体を備えるコンピュータプログラム製品。
［Ｃ６１］  前記コンピュータ可読媒体は、
コンピュータに、前記１つまたは複数のワイヤレスアクセス技術の受信された信号をバッファリングさせるためのコードと、
コンピュータに、前記第１の回路部分、および前記第２の回路部分におけるその他の回路の少なくとも１つの回路の時間領域とは独立した時間領域内で、前記バッファリングされた、受信された信号を非リアルタイム処理させるためのコードとをさらに備える［Ｃ６０］に記載のコンピュータプログラム製品。
［Ｃ６２］  前記コンピュータ可読媒体は、コンピュータに、先行する検知された情報に基づいて、前記１つまたは複数のワイヤレスアクセス技術の探索リストを並べ替えることおよび優先順位を付けることの少なくともいずれかを行うように、前記１つまたは複数のワイヤレスアクセス技術の前記信号を適応的に処理させるためのコードをさらに備える［Ｃ６０］に記載のコンピュータプログラム製品。
［Ｃ６３］  前記先行する検知された情報は、信号強度と信号相関の少なくともいずれかを含む［Ｃ６２］に記載のコンピュータプログラム製品。
［Ｃ６４］  前記コンピュータ可読媒体は、コンピュータに、所定の周期性で前記第１の回路部分をアイドル状態または休止状態のいずれかから周期的に起動して、前記１つまたは複数のワイヤレスアクセス技術を検索するようにさせるためのコードをさらに備え、前記周期性は、固定または可変である［Ｃ６０］に記載のコンピュータプログラム製品。
［Ｃ６５］  前記第２の回路部分は、前記第１の回路部分が前記１つまたは複数のワイヤレスアクセス技術の信号を検知する間、休止するように構成された一次トランシーバを備える［Ｃ６０］に記載のコンピュータプログラム製品。
［Ｃ６６］  前記１つまたは複数のワイヤレスアクセス技術を探索することは、単一のワイヤレス技術における搬送波、または２つ以上のワイヤレス技術における搬送波の少なくともいずれかに関して、異なるワイヤレスキャリア周波数でエネルギーを測定することを含む［Ｃ６０］に記載のコンピュータプログラム製品。
［Ｃ６７］  前記１つまたは複数のワイヤレスアクセス技術を探索することは、受信された信号を少なくとも１つの参照データと互いに関係付けることを含む［Ｃ６０］に記載のコンピュータプログラム製品。
［Ｃ６８］  前記参照データは、少なくとも１つのスクランブル符号を備える［Ｃ６７］に記載のコンピュータプログラム製品。
［Ｃ６９］  前記コンピュータ可読媒体は、
コンピュータに、前記１つまたは複数のワイヤレスアクセス技術の受信された信号を復調させるためのコードと、
コンピュータに、前記復調された信号を復号して、前記１つまたは複数のワイヤレスアクセス技術に関するさらなる情報を解読させるためのコードとをさらに備える［Ｃ６０］に記載のコンピュータプログラム製品。
［Ｃ７０］  前記第１の回路部分と前記第２の回路部分の少なくともいずれかは、より低エネルギーのページングサポートを提供するように構成される［Ｃ６０］に記載のコンピュータプログラム製品。
［Ｃ７１］  前記第１の回路部分は、前記１つまたは複数のワイヤレスアクセス技術を検知するために使用されるベースバンドプロセッサを備える［Ｃ６０］に記載のコンピュータプログラム製品。
［Ｃ７２］  前記１つまたは複数のワイヤレスアクセス技術を探索することは、ワイヤレスアクセス技術のサブセットを検知することを含むタスクのサブセットを処理することを含む［Ｃ６０］に記載のコンピュータプログラム製品。
［Ｃ７３］  コンピュータに、所定の周期性で前記１つまたは複数のワイヤレスアクセス技術を探索させるためのコードをさらに備えた前記コンピュータ可読媒体をさらに備え、前記周期性は、固定または可変である［Ｃ６０］に記載のコンピュータプログラム製品。
［Ｃ７４］  前記第１の回路部分と前記第２の回路部分は、前記より低い電力で少なくとも動作可能であるように構成された１つまたは複数の構成要素を共有する［Ｃ６０］に記載のコンピュータプログラム製品。
［Ｃ７５］  前記モバイルデバイスは、アクセス端末装置を備える［Ｃ６０］に記載のコンピュータプログラム製品。
［Ｃ７６］  前記第１の回路部分の少なくとも一部分は、前記第２の回路部分内の構成要素と比べて、漏れのより少ない設計ライブラリの構成要素を備えて構成される［Ｃ６０］に記載のコンピュータプログラム製品。
［Ｃ７７］  前記第１の回路部分は、前記第２の回路部分内の１つまたは複数の第２の構成要素と同等の機能を有する１つまたは複数の第１の構成要素を備え、前記１つまたは複数の第１の構成要素は、前記１つまたは複数の第２の構成要素より低速で動作する［Ｃ６０］に記載のコンピュータプログラム製品。
［Ｃ７８］  前記１つまたは複数の第１の構成要素は、前記１つまたは複数の第２の構成要素と比べて、同等の機能を実行する際に、より少ないエネルギーを消費するように構成される［Ｃ７７］に記載のコンピュータプログラム製品。
【外国語明細書】
2015122761000001.pdf